(57)【要約】【課題】  大きく腕を遥動させることなく、広範囲に、且つ均一に肥料散布が可能であり、散布者に対する負担が少ない肥料散布装置を提供する。【解決手段】  粒状及び粉状の肥料が収納され、背負可能に形成された袋体収納部と、上記袋体収納部の底面近傍に設けられた排出口と、上記排出口に一端部が接続され、所定の長さ寸法を有する筒体と、上記筒体の他端部に接続された散布ヘッド部とを備える肥料散布装置において、上記筒体の他端部と上記散布ヘッド部とは、可撓性を有する連結部材を介して接続されている構成とする。【選択図】図１
2010268776.tif 000002
【特許請求の範囲】
【請求項１】
粒状及び粉状の肥料が収納され、背負可能に形成された袋体収納部と、上記袋体収納部の底面近傍に設けられた排出口と、上記排出口に一端部が接続され、所定の長さ寸法を有する筒体と、上記筒体の他端部に接続された散布ヘッド部とを備える肥料散布装置において、
上記筒体の他端部と上記散布ヘッド部とは、可撓性を有する連結部材を介して接続されていることを特徴とする肥料散布装置。
【請求項２】
上記連結部材は軸方向に伸縮可能な蛇腹部を有する円筒体から形成されていることを特徴とする請求項１記載の肥料散布装置。
【請求項３】
上記散布ヘッド部は、上記筒体の径方向に沿って連続して開口する散布口部を有し、上記連結部材には、上記散布口部の開口方向に直交する方向の遥動を規制する遥動制約部を備えることを特徴とする請求項１又は２いずれか１項に記載の肥料散布装置。
【請求項４】
上記遥動制約部は、上記連結部材において、上記散布口部に直交する径方向の互いに対向する位置において、上記連結部材の軸方向に沿って上記蛇腹部の谷部を埋めて形成された平滑部によって形成されていることを特徴とする請求項３記載の肥料散布装置。
【請求項５】
上記連結部材はゴム素材によって形成されていることを特徴とする請求項１〜４いずれか１項記載の肥料散布装置。
【発明の詳細な説明】
【技術分野】
【０００１】
本発明は、袋状の収納部に粉体若しくは粒体の肥料を収納し、上記肥料を上記袋体収納部の底面近傍に設けられた排出口と、上記排出口に一端部が接続され、所定の長さ寸法を有する筒体と、上記筒体の他端部に接続された散布ヘッド部とを経由して畑等に散布するための肥料散布装置に関する。
【背景技術】
【０００２】
図３に示すように、従来の肥料散布装置４０は、一般的に、粒状及び粉状の肥料が収納され、背負可能に形成された袋体収納部４１と、上記袋体収納部４１の底面の近傍に設けられた排出口４２と、上記排出口４２と可撓性を有するゴム素材で形成された接続部材４３を経由して一端部４４が接続された筒体４５と、上記筒体４５の他端部４６に接続された散布ヘッド部４７とから構成されている。
上記散布ヘッド部４７は、上記筒体４５の他端部４６に接続する円筒部４７ａと上記円筒部４７ａの軸方向端部に延設された先端部材４７ｂとから形成されている。
上記先端部材４７ｂは、所定寸法離間し、対向して配置された略円形の板体４７ｃ、４７ｄから形成されると共に、上記板体４７ｃと４７ｄの間には、連続して開口する散布口部４７ｆが形成されている。
また、上記散布口部４７ｆには、肥料を均一に流出させるための複数の仕切板４７ｅが上記散布口部４７ｆの開口方向に沿って配設されている。
上記肥料散布装置４０を用いて肥料を散布する場合は、図４に示すように、上記袋体収納部４１を上記袋体収納部４１の外側面部に配設された一対の背負帯４８、４９を両肩にかけて背負、更に上記筒体４５を手で把持して遥動させることによって、上記袋体収納部４１に収納されている肥料（図示せず）が自重によって上記排出口４２から流出し、上記筒体４５の内部を経由して上記散布ヘッド部４７に供給され、上記散布ヘッド部４７の先端部材４７ｂから流出する。
上記肥料散布装置４０の場合、肥料を均等に散布するためには、上記筒体４５をすばやく、且つ大きく遥動させる必要があることから、広範囲に肥料を散布する場合は、腕が疲労し、散布者に多大な負荷をかけてしまうという不具合を有していた。
【発明の開示】
【発明が解決しようとする課題】
【０００３】
本発明の課題は、大きく腕を遥動させることなく、広範囲に、且つ均一に肥料散布が可能であり、散布者に対する負担が少ない肥料散布装置を提供することにある。
【課題を解決するための手段】
【０００４】
上記課題を解決するために、請求項１に記載された発明に係る肥料散布装置は、粒状及び粉状の肥料が収納され、背負可能に形成された袋体収納部と、上記袋体収納部の底面近傍に設けられた排出口と、上記排出口に一端部が接続され、所定の長さ寸法を有する筒体と、上記筒体の他端部に接続された散布ヘッド部とを備える肥料散布装置において、上記筒体の他端部と上記散布ヘッド部とは、可撓性を有する連結部材を介して接続されていることを特徴とする。
【０００５】
従って、上記筒体の遥動幅が小さくても、上記連結部材が可撓性を有しているため、上記連結部材が撓むことによって、上記連結部材に接続している散布ヘッド部の遥動幅が増幅される。
【０００６】
また、請求項２に記載された発明に係る肥料散布装置は、上記連結部材は軸方向に伸縮可能な蛇腹部を有する円筒体から形成されていることを特徴とする。
従って、蛇腹部の伸縮に連動して、上記散布ヘッド部が遥動する。
【０００７】
また、請求項３に記載された発明に係る肥料散布装置は、上記散布ヘッド部は、上記筒体の径方向に沿って連続して開口する散布口部を有し、上記連結部材には、上記連結部の軸方向、及び上記散布口部の開口方向に直交する方向の遥動を規制する遥動制約部を備えることを特徴とする。
従って、上記筒体の軸方向の遥動、及び上記散布口部の開口方向に直交する方向の遥動が、上記遥動制約部によって規制され、上記散布ヘッド部には伝達されない。
一方、上記筒体の遥動要素の内、上記散布口部の開口方向に沿った径方向の遥動は上記散布ヘッド部に伝達される。
【０００８】
また、請求項４に記載された発明に係る肥料散布装置は、上記遥動制約部は、上記連結部材において、上記散布口部に直交する径方向の互いに対向する位置において、上記連結部材の軸方向に沿って上記蛇腹部の谷部を埋めて形成された平滑部によって形成されていることを特徴とする。
従って上記平滑部によって、上記蛇腹部の軸方向の伸縮が制約されると共にに、上記散布口部に直交する方向の遥動が規制される。
【０００９】
また、請求項５に記載された発明に係る肥料散布装置は、上記連結部材はゴム素材によって形成されていることを特徴とする。
【発明の効果】
【００１０】
請求項１、２及び５に記載の発明にあっては、筒体と上記散布ヘッド部とが可撓性を有する連結部材を介して接続されていることから、筒体の遥動幅が小さい場合であっても、上記連結部材の撓りによって上記遥動幅が増幅され、上記散布ヘッド部は大きく遥動する。
特に請求項５の発明にあっては、上記連結部材がゴム素材で形成されていることからより撓りやすい。
従って、大きく腕を遥動させることなく、広範囲に、且つ均一に肥料散布が可能であり、散布者に対する負担が少ない肥料散布装置を提供することが可能となる。
更に、請求項２の発明にあっては、上記連結部材は軸方向に伸縮可能な蛇腹部を有する円筒体から形成されていることから、上記連結部材が更に撓み易く、より上記散布ヘッド部の遥動幅が大きくなるため、より広範囲に肥料を散布することが可能となる。
【００１１】
また、請求項３に記載の発明にあっては、上記散布ヘッド部は、上記筒体の径方向に沿って連続して開口する散布口部を有し、上記連結部材には、上記散布口部の開口方向に直交する方向の遥動を規制する遥動制約部を備え、また、請求項４の発明にあっては、上記遥動制約部は、上記連結部材において、上記散布口部に直交する径方向の互いに対向する位置において、上記連結部材の軸方向に沿って上記蛇腹部の谷部を埋めて形成された平滑部によって形成されていることから、上記筒体を遥動させた場合、上記連結部材に伝達される遥動要素の内、上記連結部材の軸方向の遥動、及び上記散布口部の開口方向と直交する方向の遥動については、上記遥動制約部によって規制され、上記散布ヘッド部に伝達されることがない。
一方、上記散布口部の開口方向の遥動については、上記連結部材に伝達された、上記連結部材が可撓性を有していることから、上記連結部材は、上記筒体の遥動に連動して上記散布口部の開口方向に遥動する。
更に、上記連結部材が上記散布口部の開口方向に沿って遥動して撓った状態において、上記連結部材には撓り方向とは逆方向の復元力が連続して作用するため、上記筒体から伝達される遥動と上記復元力とが相乗し、上記連結部材の径方向の遥動は次第に増大され、この結果、上記連結部材に連動して上記散布ヘッド部が大きく上記散布口部の開口方向に遥動する。
従って、上記筒体の径方向の遥動幅が小さい場合であっても、上記散布ヘッド部を大きく遥動させることが可能である。
従って、請求１及び２の発明の効果に加え、上記散布ヘッド部の径方向に対して、より均一に肥料を散布することが可能となる。
【図面の簡単な説明】
【００１２】
【図１】本発明の一実施の形態を示し、実施例の形態に係る肥料散布装置の全体正面図である。
【図２】本発明の一実施の形態を示し、実施例の形態に係る肥料散布装置の連結部材の拡大斜視図である。
【図３】従来の肥料散布装置の全体正面図である。
【図４】従来の肥料散布装置を背負い、肥料を散布する方法を示す斜視図である。
【発明を実施するための最良の形態】
【００１３】
以下添付図面に記載に基づき、本発明の実施の形態について説明する。
図１に示すように、本実施例の形態における肥料散布装置１０は、粒状及び粉状の肥料（図示せず）が収納され、背負可能に形成された袋体収納部１１と、上記袋体収納部１１の底面１２近傍に設けられた排出口１３と、上記排出口１３に一端部１４が接続され、所定の長さ寸法を有する筒体１５と、上記筒体１５の他端部１６に接続された散布ヘッド部１７とを備える肥料散布装置において、上記筒体１５の他端部１６と上記散布ヘッド部１７とは、可撓性を有するゴム素材で形成された連結部材１８を介して接続されている。
また、上記連結部材１８は軸方向に伸縮可能な蛇腹部１９を有する円筒体に形成されている。
また、上記散布ヘッド部１７は、上記筒体１５の径方向に沿って連続して開口する散布口部１７ｆを有し、上記連結部材１８には、上記散布口部１７ｆの開口方向に直交する方向の遥動を規制する遥動制約部２１を備えている。
また、上記遥動制約部２１は、上記連結部材１８において、上記散布口部１７ｆに直交する径方向の互いに対向する位置において、上記連結部材１８の軸方向に沿って上記蛇腹部１９の谷部を埋めて形成された平滑部２２によって形成されている。
【実施例１】
【００１４】
上記形態の本実施例の構成について以下詳述する。
図１は、本実施例に係る肥料散布装置１０の全体正面図である。
図１に示すように、上記肥料散布装置１０の袋体収納部１１は、布製であり、上部に開口部２２を有し、上記開口部２２の周縁には、上記開口部２２を閉止しうる締紐２３が配設されている。
また、上記袋体収納部１１の外面部には一対の背負い帯２４，２５が配設されている。
また、上記袋体収納部１１の底面１２の近傍に設けられた排出口１３と上記筒体１５の一端部１４とは、蛇腹部２６を有する接続部材２７を介して接続されている。
また、上記散布ヘッド部１７は、上記筒体１５の他端部１６に接続する円筒部１７ａと上記円筒部１７ａの軸方向端部に延設された先端部材１７ｂとから形成されている。
上記先端部材１７ｂは、所定寸法離間し、対向して配置された略円形の板体１７ｃ、１７ｄから形成されると共に、上記板体１７ｃと１７ｄの間には、連続して開口する散布口部１７ｆが形成されている。上記散布口部１７ｆには、肥料を均一に流出させるための複数の仕切板１７ｅが上記散布口１７ｆの開口方向に沿って配設されている。
なお、上記仕切り板１７ｅの配設数は散布ヘッド部１７の形状、大きさ等によって適宜調整が可能であり、上記仕切り板１７ｅの他に、上記板体１７ｃと１７ｄの対向面上に散布する肥料の塊を砕く為の突起部等（図示せず）を適宜形成させておくことも可能である。
また、図２は本実施例に係る連結部材１８の拡大斜視図である。
上記連結部材１８は、図１に示すように、上記連結部材１８の内径寸法は、上記筒体１５の内径寸法と略同一寸法に形成され、図２に示すように、外周部には軸方向に沿って複数の山部１９ａと谷部１９ｂが連続して形成された蛇腹部１９を備え、可撓性を有するゴム素材から形成されている。
上記ゴム素材は、所定の可撓性を有し、且つ散布者の負担とならない程度に軽量であれば、特に天然ゴム、合成ゴム等の種類は問わない。
また、図１に示すように上記蛇腹部１９において、上記散布口部１７ｆに直交する径方向対向位置において、周方向の所定幅に亘り上記連続した谷部１９ｂを上記山部１９ａの頂上部の高さまで埋めて形成された一対の平滑部２０からなる一対の遥動制約部２１が上記蛇腹部１９の軸方向に沿って形成されている。
【００１５】
上記構成の実施例の作用及び効果について説明する。
図１に示すように、上記肥料散布装置１０を用いて肥料を散布する場合は、上記袋体収納部１１の開口部２２より、粉体若しくは粒体の肥料を充填し、上記開口部２２の締紐２３を引くことによって開口部２２を閉止し、図４に示した形態と同様に、上記袋体収納部１１の外側面部に配設された一対の背負い帯２４，２５を両肩にかけて背負う。
上記の状態で、図４に示した形態と同様に、上記筒体１５を手で把持して、小さく小刻みに遥動させることによって、上記袋体収納部１１に収納されている肥料（図示せず）が自重によって上記排出口１３から流出し、上記筒体１５の内部を経由して上記散布ヘッド部１７に供給され、上記散布ヘッド部１７の先端部材１７ｂから流出する。
上記の場合において、上記筒体１５から上記連結部材１８に伝達される遥動要素の内、軸方向の遥動、及び上記散布ヘッド部１７の散布口１７ｆの開口方向と直交する方向の遥動については、上記連結部材１８において、上記散布口１７ｆの開口方向に直交する径方向の両端部に配設された、平滑部２２からなる一対の遥動制約部２１によって、上記蛇腹部１９の隣接する山部１９ａ位置が固定されることにより、上記蛇腹部１９の軸方向への伸縮及び、上記散布ヘッド部１７の散布口１７ｆの開口方向と直交する方向の遥動が規制され、上記散布ヘッド部１７に上記遥動が伝達されることがない。
一方、上記筒体１５から上記連結部材１８に伝達される遥動要素の内、上記散布ヘッド部１７の散布口１７ｆの開口方向の遥動は、上記連結部材１８に伝達され、上記連結部材１８は、可撓性を有するゴム素材で形成されていることから、上記筒体１５の遥動に連動して上記散布口１７ｆの開口方向に撓ることによって遥動する。
更に、上記連結部材１８の遥動時において、上記連結部材１８には、撓る方向とは逆方向の復元力が交互に作用するため、上記筒体１５から伝達される遥動と上記復元力とが相乗し、上記連結部材１８の上記散布口１７ｆの開口方向の遥動は次第に増大され、この結果、上記連結部材１８に連動して上記散布ヘッド部１７についても大きく上記散布口１７ｆの開口方向に遥動する。
従って、上記筒体１５を把持した手を身体の左右方向に大きく遥動させない場合であっても、上記散布ヘッド部１７を上記散布口１７ｆの開口方向に大きく遥動させることが可能となり、先端部材１７ｂから流出する肥料は広範囲に、且つ均一に散布され、身体に負担をかけることなく、広域に肥料を散布することが可能となる。
また、上記のように、連結部材１８には平滑部２０からなる一対の遥動制約部２１が配設されていることから、上記連結部材１８の軸方向の振動が制約され、上記散布ヘッド部１７に軸方向の遥動は伝達されず、上記散布ヘッド部１７は径方向にのみ遥動する。
従って、一定の範囲に、より均一に肥料を散布することが可能となる。
【００１６】
なお、本実施例においては、袋体収納部１１は布製の袋体であるが、上記袋体を立てた状態で載置しうるように、上記袋体の周囲に、上記袋体を支持する金属等のパイプによって形成されたフレーム部を形成することもできる。
また散布ヘッド部１７の形状及び、先端部材１７ｂ等の構造は、肥料の種類、粒径等に合わせて適宜変更することが可能である。
【産業上の利用可能性】
【００１７】
本製品は、袋状の収納部に粉体若しくは粒体の肥料を収納し、上記肥料を上記袋体収納部の底面近傍に設けられた排出口と、上記排出口に一端部が接続され、所定の長さ寸法を有する筒体と、上記筒体の他端部に接続された散布ヘッド部とを経由して畑等に散布するための肥料散布装置に適用可能である。
【符号の説明】
【００１８】
１０  肥料散布装置
１１  袋体収納部
１２  袋体収納部の底面
１３  排出口
１４  筒体の一端部
１５  筒体
１６  筒体の他端部
１７  散布ヘッド部
１７ａ散布ヘッド部の円筒部
１７ｂ散布ヘッド部の先端部材
１７ｃ板体
１７ｄ板体
１７ｅ仕切り板
１７ｆ散布口部
１８  連結部材
１９  蛇腹部
１９ａ蛇腹部の山部
１９ｂ蛇腹部の谷部
２０  平滑部
２１  遥動制約部
２２  開口部
２３  締紐
２４  背負い帯
２５  背負い帯
２６  接続部材の蛇腹部
２７  接続部材
４０  肥料散布装置
４１  袋体収納
４２  排出口
４３  接続部材  
４４  筒体の一端部
４５  筒体  
４６  筒体の他端部
４７  散布ヘッド部
４７ａ円筒部
４７ｂ先端部材
４７ｃ板体
４７ｄ板体
４７ｅ仕切り板
４７ｆ散布口部
４８  背負い帯
４９  背負い帯
５０  散布口部
【図１】
2010268776.tif 000003
【図２】
2010268776.tif 000004
【図３】
2010268776.tif 000005
【図４】
2010268776.tif 000006